(57)【要約】【課題】  容易に上面のデザインを変更することができ、グラスなどの結露水や零れた飲料などが表面からすぐに除去できる安価なコースターを実現するものである。【解決手段】中心部は平坦で有り、外周部には突出する枠が設けられたコースター本体と、該枠の内側に収まるように透明の樹脂板及び不透明板が着脱自在に取り付けられており、該コースター本体の枠部には、その内側に開口を有する複数の空洞部が設けられていることを特徴とするコースターである。【選択図】      図３
0003221888.tif 000002
【実用新案登録請求の範囲】
【請求項１】
中心部は平坦で有り、外周部には突出する枠が設けられたコースター本体と、該枠の内側に収まるように透明の樹脂板が着脱自在に取り付けられていることを特徴とするコースター。
【請求項２】
前記のコースター本体とその上部に取り付けられる透明樹脂板との間に、該透明樹脂板と同じ形状の不透明板が透明樹脂板と同様に着脱自在に設けられていることを特徴とする請求項１に記載のコースター。
【請求項３】
前記のコースター本体の枠部には、内側に開口を有する複数の空洞部が設けられていることを特徴とする請求項１又は請求項２に記載のコースター。
【請求項４】
前記のコースター本体の上面部又は透明樹脂板の上面に宣伝広告表示が施されていることを特徴とする請求項１から請求項３までのいずれか１項に記載のコースター。
【請求項５】
前記のコースター本体の上面部又は透明樹脂板の上面にゲーム手段が設けられていることを特徴とする請求項１から請求項３までのいずれか１項に記載のコースター。
【請求項６】
前記のコースター本体の枠にルーレットの球が周回する為の円周状溝が設けられていることを特徴とする請求項１から請求項４までのいずれか１項に記載のコースター。
【請求項７】
前記のコースター本体の枠部にLED球による発光手段が設けられていることを特徴とする請求項１から請求項５までのいずれか１項に記載のコースター。
【考案の詳細な説明】
【技術分野】
【０００１】
本考案は、飲み物を飲む時にコップなどの食器の下に敷くコースターであり、特に広告宣伝機能、及びゲーム機能を有するコースターに関する。
【背景技術】
【０００２】
従来のコースターは、飲み物を置くための敷物としての機能のみであり、コースターの使用時に、上面に結露した水や零れた飲料を吸収するように、紙、布、不織布、石、陶器、多孔質セラミックなどで製作されたものなども開発されている。
【０００３】
また、コースターの表面に各種のデザインが印刷されたものがある。また、コースターを光源として、その上部においたグラスを発光させるものもある（特開2015-47186）。
【先行技術文献】
【特許文献】
【０００４】
【特許文献１】特開2015-47186号公報
【考案の概要】
【考案が解決しようとする課題】
【０００５】
従来のコースターは、吸水性能を高めるために、各種の吸水性の高い素材を用いたものであった。
このため、特殊な素材であり、コストが高くなったり、加工しにくかったりするものも少なくない。
【０００６】
また、各種の表面のデザインに関するアイデアに関しては、吸水性素材であるため、特殊な印刷技術を要するものも少なくない。
【０００７】
また、LED等でコースターの上面からグラスに光を当て、グラスを発光させる工夫が多数開発されている。
【０００８】
しかしながら、また、従来の靴紐を外して、取り替える必要がある。
【０００９】
本考案は、容易に上面のデザインを変更することができ、グラスなどの結露水や零れた飲料などが表面からすぐに除去できる安価なコースターを実現するものである。
【課題を解決するための手段】
【００１０】
上記の課題を解決するために、本考案の請求項１は、中心部は平坦で有り、外周部には突出する枠が設けられたコースター本体と、該枠の内側に収まるように透明の樹脂板が着脱自在に取り付けられていることを特徴とするコースターとするものである。
【００１１】
該突出する枠部は、内部に収納する透明樹脂板が取り付けられる程度に突出していれば良く、樹脂板の厚みより厚ければ良く、３ｍｍから１０ｍｍ程度でも良い。コースター本体の中心部は、透明樹脂板を取り外しように、指で押し上げることのできる程度の穴が設けられていても良い。該コースター本体と透明樹脂板の間に、各種のデザインを表示した薄いシートを挟み込むことができ、このデザインシートを交換することで、簡単にデザインの変更が可能となる。デザインシートにホログラムシートを使用しても良い。
【００１２】
該コースター本体の形状は、円形、楕円形、四角形等の多角形、ハート型など様々な形状にする事ができる。
【００１３】
請求項２は、前記のコースター本体とその上部に取り付けられる透明樹脂板との間に、該透明樹脂板と同じ形状の不透明板が透明樹脂板と同様に着脱自在に設けられていることを特徴とする請求項１に記載のコースターとするものである。
【００１４】
該不透明板は、その表面に各種のデザインを印刷などで表示することができる。また、吸水素材による不透明板としても良い。また、透明樹脂板と不透明板の間にデザインシートを挟んでセットしても良い。上部の透明樹脂板の縁部とその下部の不透明板の縁部が嵌め合わせ構造としても良い。
【００１５】
請求項３は、前記のコースター本体の枠部には、内側に開口を有する複数の空洞部が設けられていることを特徴とする請求項１又は請求項２に記載のコースターとするものである。
【００１６】
該空洞部は、コースター本体の外周部の枠部の内部に形成されるものであり、透明樹脂板上部の結露水や零れた飲料などをその開口部から導き、空洞内に一時的に貯めることができるものである。外周部全体を空洞部としても良く、複数箇所の開口部に対応した複数の空洞部を設けたものでも良い。
【００１７】
請求項４は、前記のコースター本体の上面部、不透明板又は透明樹脂板の上面に宣伝広告表示が施されていることを特徴とする請求項１から請求項３までのいずれか１項に記載のコースターである。
【００１８】
請求項５は、前記のコースター本体の上面部又は透明樹脂板の上面にゲーム手段が設けられていることを特徴とする請求項１から請求項３までのいずれか１項に記載のコースター
【００１９】
該ゲーム手段は、ゲーム性のある表示であればいずれでも良く、例えば、透明樹脂板に矢印が表示され、回転されて、外周枠の表示と一致する吉凶占い等でも良い。不透明板に有機EL表示によるゲーム盤を用いても良い。
【００２０】
請求項６は、前記のコースター本体の枠にルーレットの球が周回する為の円周状溝が設けられていることを特徴とする請求項１から請求項４までのいずれか１項に記載のコースターである。
【００２１】
請求項７は、前記のコースター本体の枠部にLED球による発光手段が設けられていることを特徴とする請求項１から請求項５までのいずれか１項に記載のコースターである。
【００２２】
該外周部のLED表示は、デザインシートを発光させるようしても良く、グラスを発光させるようにしてよい。また、ルーレット表示などゲーム表示ができるようにしても良い。
【考案の効果】
【００２３】
本発明は以下の効果を奏する。
（１）コースター上面のデザインを簡単に変更することができる。
【００２４】
（２）コースター上面の結露水や零れた飲料を簡単に除去することができる。
【００２５】
（３）ゲーム機能を有するコースターを実現できる。
【００２６】
（４）特殊な吸水素材を必要とせず、製造コストを抑えることができる。
【００２７】
（５）宣伝広告に活用できる。
【００２８】
（６）自分の好きな写真やイラストなど簡単に表示することができ、オリジナルのコースターとすることができる。
【図面の簡単な説明】
【００２９】
【図１】本考案によるコースターの実施例を示す平面図である。
【図２】本考案によるコースターの実施例を示すA-A部縦断面図である。
【図３】本校案によるコースターの概略構成図である。
【考案を実施するための形態】
【００３０】
次に本考案による靴紐留め具が実際上どのように具体化されるかを実施例で説明する。
【００３１】
図１は、本考案によるコースターの実施例を示す平面図であり、図２はA-A部縦断面図である。図３は概略構成図である。
【００３２】
このコースターは、樹脂製の円形のコースター１であり、中心部分３に花のデザインが表示されているものであり、外周部分は盛り上がった枠部２となっている。
【００３３】
内部に不透明の樹脂板５がセットされており、その上部に透明樹脂板３がセットされている。
【００３４】
該枠部２の内部に空洞部４が設けられており、コースター使用時の透明樹脂板上の結露水や零れた飲料などを開口部７からこの空洞部４に流入し、コースター上面の結露水や飲料が除去され一時的に貯めることができる。
【００３５】
コースターの洗浄時にこの空洞部にたまった飲料などを廃棄できる。
【００３６】
図３に示すように、透明樹脂板３と、不透明樹脂板５は、簡単に上部から取り外すことができる。簡単に交換することができる。
【００３７】
これにより、不透明樹脂板の上面に各種のデザインを印刷し、交換して使用することができる。
【００３８】
また、透明樹脂板３と不透明樹脂板５の間に、薄いデザインシートを挟むことで、自分で好きなデザインを構成でき、オリジナルのコースターとすることができる。
【００３９】
また、コースター本体の枠部２に円周溝を作り、ルーレットとしたり、LEDで発光できるようにしても良い。
【００４０】
不透明樹脂板を有機EL板としてゲーム盤としてもよい。
【００４１】
ゲーム機能や照明機能を自由に組み込むことできる。
【００４２】
このように、本考案によれば、上面のデザインを自由に、簡単に変更することができ、発光機能やゲーム機能などを自由に組み込むこともできるコースターを実現できるものである。
【符号の説明】
【００４３】
１  コースター
２  枠部
３  透明樹脂板
４  空洞部
５  不透明樹脂板
６  コースター本体
７  開口部
【図１】
0003221888.tif 000003
【図２】
0003221888.tif 000004
【図３】
0003221888.tif 000005
【手続補正書】
【提出日】平成31年4月18日(2019.4.18)
【手続補正１】
【補正対象書類名】実用新案登録請求の範囲
【補正対象項目名】全文
【補正方法】変更
【補正の内容】
【実用新案登録請求の範囲】
【請求項１】
中心部は平坦で有り、外周部には突出する枠が設けられたコースター本体と、該枠の内側に収まるように透明の樹脂板が着脱自在に取り付けられていることを特徴とするコースター。
【請求項２】
前記のコースター本体とその上部に取り付けられる透明樹脂板との間に、該透明樹脂板と同じ形状の不透明板が透明樹脂板と同様に着脱自在に設けられていることを特徴とする請求項１に記載のコースター。
【請求項３】
前記のコースター本体の枠部には、内側に開口を有する複数の空洞部が設けられていることを特徴とする請求項１又は請求項２に記載のコースター。
【請求項４】
前記のコースター本体の上面部又は透明樹脂板の上面に宣伝広告表示が施されていることを特徴とする請求項１から請求項３までのいずれか１項に記載のコースター。
【請求項５】
前記のコースター本体の上面部又は透明樹脂板の上面に有機EL板を用いたゲーム盤又は占い盤が設けられていることを特徴とする請求項１から請求項３までのいずれか１項に記載のコースター。
【請求項６】
前記のコースター本体の枠にルーレットの球が周回する為の円周状溝が設けられていることを特徴とする請求項１から請求項５までのいずれか１項に記載のコースター。
【請求項７】
前記のコースター本体の枠部にLED球による発光手段が設けられていることを特徴とする請求項１から請求項６までのいずれか１項に記載のコースター。